(57)【要約】【課題】止水板の保管場所の確保や運搬にかかる手間と時間を不要とし、使用時において従来のように人が落ち込み、あるいは、足を取られたりする段差が生じることがなく、設置場所に制約がなく、また施工工事もきわめて簡略化できる止水板装置を提供する。【解決手段】これは、建造物の出入口１０に設置されて手動で起伏可能な止水板２を備えた装置１であって、出入口１０の直ぐ外側に形成されて、出入口１０の床面９と略面一となる蓋６付きの開口部を有する収納溝３を備え、止水板２は、収納溝３内に倒伏される第一姿勢と、出入口１０と反対側が持ち上げられて、出入口１０側に引き寄せられることにより、起立される第二姿勢とを有することを特徴とするものである。【選択図】図１
2016135982.tif 000002
【特許請求の範囲】
【請求項１】
建造物の出入口に設置されて手動で起伏可能な止水板を備えた装置であって、
前記出入口の直ぐ外側に形成されて、前記出入口の床面と略面一となる開口部を有する収納溝と、前記収納溝の開口部を開閉可能に覆う蓋体とを備え、
前記止水板は、前記収納溝内に倒伏して格納された第一姿勢と、前記出入口側に引き寄せられて起立された第二姿勢とを有し、
前記止水板が第一姿勢と第二姿勢となったときには、前記蓋体をそれぞれ閉じることができることを特徴とする止水板装置。
【請求項２】
前記蓋体は、前記収納溝の開口部の前記出入口と反対側を中心として回転可能であるとともに、該蓋体の先端に折り畳み可能なフラッパを備えており、前記止水板が第一姿勢となったときには、前記フラッパを展開する一方、前記止水板が第二姿勢となったときには、該止水板と干渉しないように、前記フラッパを折り畳むことを特徴とする請求項１記載の止水板装置。
【請求項３】
前記蓋体は、前記収納溝の開口部の前記出入口と反対側にずらせて取り外し可能であるとともに、該出入口側にずらせて取り付け可能であることを特徴とする請求項１記載の止水板装置。
【請求項４】
前記止水板は、前記第一姿勢における前記出入口と反対側が持ち上げられることにより、起立されて前記第二姿勢となることを特徴とする請求項１〜３のいずれか１項に記載の止水板装置。
【請求項５】
前記第二姿勢での止水板を前記出入口側にシールを介してロックするロック機構を備えたことを特徴とする請求項１〜４のいずれか１項に記載の止水板装置。
【請求項６】
前記出入口に、前記ロック機構を収納可能なカバーを備えたことを特徴とする請求項５記載の止水板装置。
【請求項７】
前記シールは、前記止水板側に備えられ、シール本体の幅方向の変形を規制する規制部材を付設した第一シールと、前記出入口側に備えられ、前記規制部材よりも広幅のシール本体からなる第二シールとを有し、前記第二姿勢において、前記第二シールのシール本体が、前記第一シールの規制部材に当接した状態で、該第一シールのシール本体に当接するように構成したことを特徴とする請求項５又は６記載の止水板装置。
【発明の詳細な説明】
【技術分野】
【０００１】
本発明は、例えば建物、地下鉄、地下街等の建造物の出入口に設置して、洪水時における建造物内への浸水を防止する止水板装置に関するものである。
【背景技術】
【０００２】
集中豪雨や高潮などによる洪水の発生時に、建造物の出入口からの浸水を防止する防水装置としては、例えば特許文献１のような嵌め込み式の防水板や、特許文献２のような起伏式の止水板を備えた簡易止水装置や、特許文献３のような昇降式の防水板を備えた防水装置が知られている。
【発明の概要】
【発明が解決しようとする課題】
【０００３】
しかしながら、特許文献１では、防水板が洪水発生のおそれがある非常時にしか使用されないものであるため、平常時における防水板の保管場所を別途確保する必要がある上、非常時には保管場所から運搬して使用し、さらに使用後には再度保管場所へ運搬しなければならないため、運搬に手間と時間が掛かり、その取扱い性が悪いという問題点があった。
【０００４】
一方、特許文献２では、上記のような保管場所の確保や運搬に手間と時間が掛かるといった問題は生じない反面、使用時に止水板を起立させると、床面に形成された比較的広幅の箱体が開口したままの状態となるため、周囲の床面と箱体の内底面との間に段差ができ、しかも周囲の床面と収納溝とが水没した状態では、洪水時の濁った水で箱体が視認できなくなることによって、人が箱体に落ち込み、あるいは、前記段差に足を取られて転倒するおそれがあるという問題点があった。
【０００５】
他方、特許文献３では、防水板の保管場所の確保や運搬にかかる手間と時間を不要とし得るとともに、使用時において従来のように人が落ち込み、あるいは、足を取られたりする段差が生じるといった問題は生じない反面、防水板の収納溝は、所定形状に組み付けた型枠にコンクリートを打設して形成するか、或いは、所定形状の金属製の筐体を地中深く埋設して形成されることから、設置場所に制約があり、また施工工事が大変であるといった問題点があった。
【０００６】
本発明は、上記事情に鑑みたものであり、その目的とするところは、止水板の保管場所の確保や運搬にかかる手間と時間を不要とし、使用時において従来のように人が落ち込み、あるいは、足を取られたりする段差が生じることがなく、設置場所に制約がなく、また施工工事もきわめて簡略化できる止水板装置を提供することである。
【課題を解決するための手段】
【０００７】
本発明は、建造物の出入口に設置されて手動で起伏可能な止水板を備えた装置であって、前記出入口の直ぐ外側に形成されて、前記出入口の床面と略面一となる開口部を有する収納溝と、前記収納溝の開口部を開閉可能に覆う蓋体とを備え、前記止水板は、前記収納溝内に倒伏して格納された第一姿勢と、前記出入口側に引き寄せられて起立された第二姿勢とを有し、前記止水板が第一姿勢と第二姿勢となったときには、前記蓋体をそれぞれ閉じることができることを特徴とするものである。
【０００８】
本発明によれば、前記出入口の直ぐ外側に形成されて、前記出入口の床面と略面一となる開口部を有する収納溝と、前記収納溝の開口部を開閉可能に覆う蓋体とを備え、前記止水板は、前記収納溝内に倒伏して格納された第一姿勢と、前記出入口側に引き寄せられて起立された第二姿勢とを有し、前記止水板が第一姿勢と第二姿勢となったときには、前記蓋体をそれぞれ閉じることができるので、止水板の保管場所の確保や運搬にかかる手間と時間とが不要となるように、通常時は床面の蓋体より下に止水板が格納される。
【０００９】
したがって、止水板を例えばリブ材で補強した平板などの簡易な構造とすることにより、軽量化することができる。また、作動時にも蓋体をもとに戻すことにより、非常時の避難などで段差に足をとられてけがをすることを防ぐことができ、通常時と非常時とのいずれにおいてもバリアフリーを実現できる。また、止水板が起伏式であり、止水板を移動させるための労力が少なくて済む。また、止水板の収納溝がきわめて浅くなるので、設置場所に制約がなく、また施工工事もきわめて簡略化できる。
【００１０】
さらに、すべて手動とすることにより、従来の電動シリンダーなどで押し込む方式に比べて、各段と動作がシンプルとなるので、故障が少なく、いざとなる非常時にも素早く対応でき、メンテナンスも随分簡略化できる。
【００１１】
請求項２記載の発明のように、前記蓋体は、前記収納溝の開口部の前記出入口と反対側を中心として回転可能であるとともに、該蓋体の先端に折り畳み可能なフラッパを備えており、前記止水板が第一姿勢となったときには、前記フラッパを展開する一方、前記止水板が第二姿勢となったときには、該止水板と干渉しないように、前記フラッパを折り畳むことが好ましい。
【００１２】
請求項２記載の発明によれば、前記蓋体は、前記収納溝の開口部の前記出入口と反対側を中心として回転可能であるとともに、該蓋体の先端に折り畳み可能なフラッパを備えており、前記止水板が第一姿勢となったときには、前記フラッパを展開する一方、前記止水板が第二姿勢となったときには、該止水板と干渉しないように、前記フラッパを折り畳むので、蓋体と床面との隙間を少なくして、より完全なバリアフリーが実現できる。
【００１３】
或いは、請求項３記載の発明のように、前記蓋体は、前記収納溝の開口部の前記出入口と反対側にずらせて取り外し可能であるとともに、該出入口側にずらせて取り付け可能であることが好ましい。
【００１４】
請求項３記載の発明によれば、前記蓋体は、前記収納溝の開口部の前記出入口と反対側にずらせて取り外し可能であるとともに、該出入口側にずらせて取り付け可能であるので、より簡単な構成でもって、蓋体と床面との隙間を少なくして、より完全なバリアフリーが実現できる。
【００１５】
請求項４記載の発明のように、前記止水板は、前記第一姿勢における前記出入口と反対側が持ち上げられることにより、起立されて前記第二姿勢となることが好ましい。
【００１６】
請求項４記載の発明によれば、前記止水板は、前記第一姿勢における前記出入口と反対側が持ち上げられることにより、起立されて前記第二姿勢となるので、止水板の移動のための労力が少なくて済み、容易かつ迅速に止水板を起伏させることができる。
【００１７】
請求項５記載の発明のように、前記第二姿勢での止水板を前記出入口側にシールを介してロックするロック機構を備えることが好ましい。
【００１８】
請求項５記載の発明によれば、前記第二姿勢での止水板を前記出入口側にシールを介してロックするロック機構を備えたので、止水板が起立した第二姿勢で、より確実に止水できる。
【００１９】
請求項６記載の発明のように、前記出入口に、前記ロック機構を収納可能なカバーを備えることが好ましい。
【００２０】
請求項６記載の発明によれば、前記出入口に、前記ロック機構を収納可能なカバーを備えたので、塵埃等の混入と誤操作とを防止できる。
【００２１】
請求項７記載の発明のように、前記シールは、前記止水板側に備えられ、シール本体の幅方向の変形を規制する規制部材を付設した第一シールと、前記出入口側に備えられ、前記規制部材よりも広幅のシール本体からなる第二シールとを有し、前記第二姿勢において、前記第二シールのシール本体が、前記第一シールの規制部材に当接した状態で、該第一シールのシール本体に当接するように構成することが好ましい。
【００２２】
請求項７記載の発明によれば、前記シールは、前記止水板側に備えられ、シール本体の幅方向の変形を規制する規制部材を付設した第一シールと、前記出入口側に備えられ、前記規制部材よりも広幅のシール本体からなる第二シールとを有し、前記第二姿勢において、前記第二シールのシール本体が、前記第一シールの規制部材に当接した状態で、該第一シールのシール本体に当接するように構成したので、止水板が起立した第二姿勢で、より確実に止水できる。
【発明の効果】
【００２３】
本発明によれば、前記出入口の直ぐ外側に形成されて、前記出入口の床面と略面一となる開口部を有する収納溝と、前記収納溝の開口部を開閉可能に覆う蓋体とを備え、前記止水板は、前記収納溝内に倒伏して格納された第一姿勢と、前記出入口側に引き寄せられて起立された第二姿勢とを有し、前記止水板が第一姿勢と第二姿勢となったときには、前記蓋体をそれぞれ閉じることができるので、止水板の保管場所の確保や運搬にかかる手間と時間とが不要となるように、通常時は床面の蓋体より下に止水板が格納される。
【００２４】
したがって、止水板を例えばリブ材で補強した平板などの簡易な構造とすることにより、軽量化することができる。また、作動時にも蓋体をもとに戻すことにより、非常時の避難などで段差に足をとられてけがをすることを防ぐことができ、通常時と非常時とのいずれにおいてもバリアフリーを実現できる。また、止水板が起伏式であり、止水板を移動させるための労力が少なくて済む。また、止水板の収納溝がきわめて浅くなるので、設置場所に制約がなく、また施工工事もきわめて簡略化できる。
【００２５】
さらに、すべて手動とすることにより、従来の電動シリンダーなどで押し込む方式に比べて、各段と動作がシンプルとなるので、故障が少なく、いざとなる非常時にも素早く対応でき、メンテナンスも随分簡略化できる。
【図面の簡単な説明】
【００２６】
【図１】本発明の実施形態１に係る止水板装置の全体構成を示す斜視図である。
【図２】本実施形態１の止水板装置の全体構成を示す平面図である。
【図３】本実施形態１の止水板装置の全体構成を示す正面図である。
【図４】図１のＡ部を拡大して示す説明図である。
【図５】本実施形態１の止水板装置のシール構造を示す説明図である。
【図６】本実施形態１の止水板装置のロック機構を示す説明図である。
【図７】本発明の実施形態２に係る止水板装置の通常時を示す説明図であって、（ａ）は側面図、（ｂ）は平面図である。
【図８】本実施形態２に係る止水板装置の非常時（１）を示す説明図であって、（ａ）は側面図、（ｂ）は平面図である。
【図９】本実施形態２に係る止水板装置の非常時（２）を示す説明図であって、（ａ）は側面図、（ｂ）は平面図である。
【発明を実施するための形態】
【００２７】
（実施形態１）
図１は本発明の実施形態１に係る止水板装置１の全体構成を示す斜視図、図２はその平面図、図３はその正面図である。本実施形態１に係る止水板装置１は、図１〜図３に示すように、例えば建物、地下鉄、地下街等の建造物の出入口１０に設置されて手動で起伏可能な止水板２を備えたものであって、主に鋼板、アルミニウム板などの耐候性に優れた材料からなっている。
【００２８】
そして、出入口１０の直ぐ外側に形成されて、出入口１０の床面９と略面一となる開口部を有する収納溝３を備え、止水板２は、収納溝３内に倒伏して格納された第一姿勢と、出入口１０と反対側が持ち上げられて、出入口１０側に引き寄せられることにより、所定の経路を通って起立された第二姿勢とを有するものである。このために、止水板２の先端側に把持部２３が設けられている。
【００２９】
ここで、出入口１０には、断面正方形の左右支柱４が所定間隔をあけて配設されている。左右支柱４の基部は床面９下に埋設されており、その先端部は前記第二姿勢での止水板２よりも高くなるように設定されている。左右支柱４の収納溝３側には、カバー５が、それぞれヒンジ５ａ（図６（ａ）（ｂ）参照。）で結合されることにより、いわゆる観音開き方向（図２中のＢ方向）に開閉可能に取り付けられている。
【００３０】
収納溝３は、全体がやや扁平で上方が開放された箱状をなしており、左右支柱４の直ぐ外側にあって、止水板２の厚みに若干の余裕を加えた深さ（約１０ｃｍ）だけ掘り下げて埋設されているので、設置場所にほとんど制約がなく、施工工事が随分と簡略化される。この収納溝３の開口部は、左右支柱４とは反対側（図４（ａ）中のＣ方向）に回転することにより開閉可能な蓋（蓋体に相当する。）６で覆われている。この蓋６の存在により、止水板２上に重量物などが直接載らなくなる。このため、止水板２を例えばリブ材で補強した平板などの簡易な構造とすることで、軽量化することが可能となる。
【００３１】
また、止水板２が第一姿勢と第二姿勢となったときには、蓋６をそれぞれ閉じることができるようになっている。このように、作動時にも蓋６を閉止した状態とすることで、災害時の避難などで段差に足をとられて受傷することを防ぐことができる。そのために、蓋６の表面に適当な滑り止めを設けることが好ましい。
【００３２】
図４は図１のＡ部を拡大して示す説明図であって、（ａ）は第一姿勢の止水板２まわり、（ｂ）は第二姿勢の止水板２まわりの動作を示している。蓋６は、左右支柱４側の先端に折り畳み可能なフラッパ６ａを備えており、止水板２が第一姿勢となったときには、図４（ａ）に示すように、フラッパ６ａを展開する一方、止水板２が第二姿勢となったときには、図４（ｂ）に示すように、止水板２と干渉しないように、フラッパ６ａを折り畳むようになっている。これにより、蓋６と床面９との隙間を少なくすることができる。
【００３３】
止水板２は、前記第一姿勢においては、収納溝３内に収納可能な大きさの長方形状をなしており、図４（ａ）に示すように、蓋６のフラッパ６ａを展開したまま、左右支柱４と反対側（Ｃ方向）に開けた状態で、蓋６とは逆向き（Ｄ，Ｅ方向）に回転させて開閉自在となっている。また、止水板２は、前記第二姿勢においては、図４（ｂ）に示すように、蓋６のフラッパ６ａを回転軸６ｂまわりで下向き（Ｆ方向）に回転させて折り畳み、そのまま左右支柱４側（Ｇ方向）に閉じて、開閉不可能となっている。
【００３４】
止水板２の開閉時の移動経路は、前記第一姿勢での止水板２の裏面における前記左右支柱４側と、それを案内するガイド２２とで規定される。ガイド２２としては、例えば図４（ａ）（ｂ）に示すようなレール部材を採用しているが、収納溝３の底板をそのまま採用してもよい。
【００３５】
第二姿勢での止水板２を左右支柱４側にシール（止水パッキン）７を介してロック機構８でロックするようになっている。これにより、止水板２が起立した第二姿勢で確実に止水できる。ここに、図６は本止水板装置１のロック機構８を示す説明図であって、（ａ）平面図、（ｂ）は側面図である。
【００３６】
ロック機構８は、例えば第二姿勢での止水板２の左右上端側と、左右下端側とに設けられ、図６（ａ）（ｂ）に示すように、止水板２に備えられた当板２ａと、左右支柱４のカバー５内に固定された回転軸８ａと、この回転軸８ａまわりに回転自在に取り付けられた長尺の操作レバー８ｂと、この操作レバー８ｂの長手方向における止水板２の当板２ａに当接可能な位置に設けられた突起８ｃとを有する。
【００３７】
ここで、止水板２が前記第一姿勢のときは、カバー５が閉じられており、その内部に操作レバー８ｂが直立姿勢で格納されるようになっている。一方、カバー５が開かれて、止水板２が前記第二姿勢になったときは、操作レバー８ｂが回転軸８ａまわりにＨ方向に回転して、その突起８ｃが止水板２の当板２ａに当接し、その止水板２を左右支柱４側に押圧するようになっている。これにより、前記第二姿勢の止水板２は左右支柱４側に確実にロックできる。また、通常時には、前記第一姿勢の止水板２は、収納溝３内に収納され、ロック機構８はカバー５内に格納されるので、いずれについても塵埃等の混入と誤操作とを防止できる。
【００３８】
図５は本止水板装置１のシール７の構造を示す説明図であって、（ａ）は止水板２と左右支柱４との当接前、（ｂ）は止水板２と左右支柱４との当接後の様子をそれぞれ示している。このシール７は、図５（ａ）に示すように、止水板２側に備えられ、シール本体７２の幅方向の変形を規制する規制部材７１を付設した第一シールと、左右支柱４側に備えられ、規制部材７１よりも広幅のシール本体７３からなる第二シールとを有している。規制部材７１は金属製であるが、シール本体７２はゴム製である。この第一シールは、第二姿勢での止水板２の左右両辺と下辺とにそれぞれ付設されており、第二シールは、左右支柱４と収納溝３との前記第一シールに対向する側にそれぞれ付設されている。
【００３９】
そして、図５（ｂ）に示すように、前記第二姿勢において、前記第二シールのシール本体７３が、前記第一シールの規制部材７１に当接した状態で、該第一シールのシール本体７２に当接するようになっている。これにより、止水板２が起立した第二姿勢でより確実に止水できる。なお、通常時には、左右支柱４のカバー５により前記第二シールが保護されるとともに、収納溝３の蓋６により前記第一シールが保護されるようになっている。
【００４０】
以下、本止水板装置１の概略動作を説明する。すなわち、図１〜図３に示すように、通常時は、止水板２は、倒伏した第一姿勢にて、収納溝３内に収納され、その開口部は蓋６で覆われている。このとき、蓋６のフラッパ６ａは展開状態となって、床面９側に延びており、その床面９の下側に付設された補助部材（不図示。）により、受け止められている。これにより、建造物の出入口１０の床面９と蓋６の表面とは面一となって、完全なバリアフリーとなっている。このときには、止水板２と、シール７のうちの、止水板２側の第一シールとは蓋６で覆われており、左右支柱４側の第二シールはカバー５で覆われているから、いずれも外部からは見えない状態となっている。ロック機構８についても同様である。これにより、通常時における止水板２の誤操作、シール７の劣化、塵埃の混入、ロック機構８の誤操作などを防止するとともに、外観もよくしている。
【００４１】
非常時は、左右支柱４のカバー５を観音開き（図２中のＢ方向）とすると、シール７の第二シールやロック機構８が外部から見えるようになる。ついで、収納溝３の蓋６の把持部（不図示。）をもって持ち上げることにより、左右支柱４と反対側（図４中のＣ方向）に回転させて、ストッパ（不図示。）で止まるまで大きく開いた状態とする。このとき、蓋６のフラッパ６ａは、自重により、回転軸６ｂまわりに回転して、蓋６の裏面側に折り畳まれた状態となる。
【００４２】
ついで、止水板の把持部２３をもって引っ張り上げることにより、止水板２を起立させた第二姿勢とするが、このときには、図４（ａ）（ｂ）に示すように、止水板２は、左右支柱４から離間しており、それがガイド２２で案内されて左右支柱４側に移動する。すると、止水板２の姿勢は、水平な第一姿勢から、傾斜した中間姿勢を経て、垂直な第二姿勢へと連続的に変化していく。その基本操作は、止水板２をガイド２２との接点を支点として回転させるものであり、止水板２をガイド２２上で水平移動させる距離はわずかとなることから、止水板２の軽量化と相俟って、労力が少なくて済む。
【００４３】
そして、第二姿勢となった止水板２を、左右支柱４とその下部の収納溝３の側壁とに、シール７を介在させた状態で押し付けて、ロック機構８でロックする。このときには、図５（ａ）（ｂ）及び図６（ａ）（ｂ）に示すように、止水板２側の第一シールの規制部材７１が、左右支柱４などの第二シールのシール本体７２に対向しており、カバー５内の直立状態の操作レバー８ｂを回転軸８ａまわりで下向き（Ｈ方向）に回転させる。
【００４４】
すると、操作レバー８ｂの突起８ｃが、止水板２の当板２ａ上を滑りながら該面を押圧する。この押圧力で止水板２側の第一シールの規制部材７１が、左右支柱４などの第二シールのシール本体７２に当接して、その中央を盛り上げてから、前記第一シールの規制部材７１内のシール本体７２に当接し、この当接状態が維持される。しかる後、収納溝３の蓋６を再び閉める。このときには、蓋６のフラッパ６ａは、自重により、回転軸６ｂまわりに回転して、蓋６の下側に折り畳まれた状態となっている。したがって、蓋６の先端とフラッパ６ａとが、止水板２の中間部に近接、或いは、接触して、その止水板２が、誤って倒伏操作されることを防止できる。非常時から通常時に戻る際には、概ね上記と逆の手順がとられることとなるが、蓋６のフラッパ６ａだけは、手動で展開させて、床面９と面一とさせる。
【００４５】
ここで、本発明者は、止水板装置１を試作して、その動作確認と防水性能試験とを実施した。具体的には、約１ｍ幅で約６０ｃｍ高さの止水板２と、約２ｍ幅で約６０ｃｍ高さの止水板２とに対して、それぞれ作業者が手動で起伏動作できることを確認した上で、それらの水張り試験を行い、いずれも水漏れ等がないことを確認した。
【００４６】
以上説明したように、本実施形態１に係る止水板装置１によれば、建造物の出入口１０に付設された左右支柱４の直ぐ外側に形成されて、出入口１０の床面９と略面一となる蓋６付の開口部を有する収納溝３を備え、止水板２は、収納溝３内に倒伏して格納された第一姿勢と、左右支柱４と反対側の把持部２３で持ち上げられて、この左右支柱４側に引き寄せられることにより、ガイド２２に案内されて起立された第二姿勢とを有するので、止水板２の保管場所の確保や運搬にかかる手間と時間とを不要とするとともに、通常の使用時はもちろんのこと、非常時においても段差がなくなり、足を取られて転倒することがなくなる。また、起伏式の止水板２を収納する収納溝３の厚みがきわめて薄いため、設置場所に制約がなく、また施工工事もきわめて簡略化できる。
【００４７】
さらに、止水板２が第一姿勢と第二姿勢となったときには、蓋６をそれぞれ閉じることにより、止水板２の起伏操作を禁止する一方、止水板２が第一姿勢と第二姿勢との間にあるときには、蓋６を開けることにより、止水板２の起伏操作を許容するので、すべて手動とすることによる誤操作を防止するとともに、従来の電動シリンダーなどで押し込む方式に比べて、各段と動作がシンプルとなるので、故障が少なく、いざとなる非常時にも素早く対応でき、メンテナンスも随分簡略化できる。
【００４８】
さらに、蓋６は、収納溝３の開口部の出入口１０と反対側を中心として回転可能であるとともに、蓋６の先端に折り畳み可能なフラッパ６ａを備えており、止水板２が第一姿勢となったときには、フラッパ６ａを展開する一方、止水板２が第二姿勢となったときには、止水板２と干渉しないように、フラッパ６ａを折り畳むので、蓋６と床面９との隙間を少なくして、より完全なバリアフリーが実現できる。
【００４９】
（実施形態２）
ところで、上記実施形態１の蓋６は、より簡単な構成とすることができる。図７は本発明の実施形態２に係る止水板装置１’の通常時を示す説明図、図８は本実施形態２に係る止水板装置の非常時（１）を示す説明図、図３は本実施形態２に係る止水板装置の非常時（２）を示す説明図であって、それぞれの（ａ）は側面図、（ｂ）は平面図である。本実施形態２に係る止水板装置１’の構成要素は、止水板２’、収納溝３’及び蓋６’を除き、上記実施形態１のそれと共通する。すなわち、図７（ａ）（ｂ）に示すように、本止水板装置１’は、例えば建物、地下鉄、地下街等の建造物の出入口１０に設置されて手動で起伏可能な止水板２’を備えたものであって、主に鋼板、アルミニウム板などの耐候性に優れた材料からなっている。
【００５０】
そして、出入口１０の直ぐ外側に形成されて、出入口１０の床面９と略面一となる開口部を有する収納溝３’を備え、止水板２’は、収納溝３’内に倒伏して格納された第一姿勢と、出入口１０と反対側が持ち上げられて、出入口１０側に引き寄せられることにより、所定の経路を通って起立された第二姿勢とを有するものである。このために、止水板２’の左右先端に逆Ｕ字状の把持部２３’が設けられている。以下、上記実施形態１と共通する構成要素については詳細説明を省略する。
【００５１】
ここで、出入口１０には、左右支柱４が所定間隔をあけて配設されている。左右支柱４の基部は床面９下に埋設されており、その先端部は前記第二姿勢での止水板２’よりも高くなるように設定されている。
【００５２】
収納溝３’は、全体がやや扁平で上方が開放された箱状をなしており、左右支柱４の直ぐ外側にあって、止水板２’の厚みに若干の余裕を加えた深さ（約１０ｃｍ）だけ掘り下げて埋設されているので、設置場所にほとんど制約がなく、施工工事が随分と簡略化される。この収納溝３’の開口部は、出入口１０と反対側にずらせて取り外すとともに、該出入口１０側にずらせて取り付けることにより開閉可能な蓋（蓋体に相当する。）６’で覆われている。蓋６’は、例えば工場の出入口のように、車の通るところに設置されることを配慮したものであり、その強度を確保しつつ軽量化を図ったものである。この蓋６’の存在により、止水板２’上に車などが直接載らなくなる。このため、止水板２’を例えばリブ材で補強した平板などの簡易な構造とすることで、軽量化することが可能となる。
【００５３】
また、止水板２’が第一姿勢と第二姿勢となったときには、把持部６１’でもって、蓋６’をそれぞれ閉じることができるようになっている。このように、作動時にも蓋６’を閉止した状態とすることで、災害時の避難などで段差に足をとられて受傷することを防ぐことができる。そのために、蓋６’の表面に適当な滑り止めを設けることが好ましい。なお、把持部６１’は、通常のマンホール蓋のそれと異なり、収納溝３’の開口部を蓋６’で閉じた状態では、塵埃や水などが、収納溝３’内に入らないような構造のものが好ましい。
【００５４】
蓋６’は、図８（ｂ）に示すように、収納溝３’の中心軸Ｉの左右振り分けで二分割されており、止水板２’が第一姿勢となったときには、図７（ｂ）に示すように、収納溝３の開口部を完全に塞ぐ一方、止水板２’が第二姿勢となったときには、図９（ｂ）に示すように、止水板２’と干渉しないように、止水板２’の厚み分だけ後退させて収納溝３’の開口部を完全に塞ぐようになっている。これにより、蓋６’と床面９との隙間を少なくすることができる。そのために、蓋６’の左右支柱４，４に当接する２適所には、階段状の切り欠き部６２’が形成されている。
【００５５】
止水板２’は、前記第一姿勢においては、収納溝３’内に収納可能な大きさの長方形状をなしており、図８（ａ）（ｂ）に示すように、蓋６’を収納溝３’の開口部からずらせて取り外して該開口部を開けた状態で、出入口１０側（図中のＪ方向又はその逆方向）に回転させて開閉自在となっている。また、止水板２’は、前記第二姿勢においては、図９（ａ）（ｂ）に示すように、蓋６’を、止水板２’の厚み分だけ後退させて収納溝３’の開口部の上にずらせて取り付けることにより、止水板２’に当接する結果、止水板２’は開閉不可能となっている。
【００５６】
止水板２’の開閉時の移動経路は、前記第一姿勢での止水板２’の裏面における前記左右支柱４側と、それを案内するガイド（不図示。）とで規定される。このガイドとしては、止水板２の左右に設けられた図示しないピンを挿通させる、図示しないオーバル穴が設けられたレール部材を採用しているが、収納溝３’の底板をそのまま採用してもよい。
【００５７】
第二姿勢での止水板２’を左右支柱４側にシール（止水パッキン）７を介してロック機構８でロックするようになっている。これにより、止水板２’が起立した第二姿勢で確実に止水できる。
【００５８】
以下、本止水板装置１’の概略動作を説明する。すなわち、図７（ａ）（ｂ）〜図９（ａ）（ｂ）に示すように、通常時は、止水板２’は、倒伏した第一姿勢にて、収納溝３’内に収納され、その開口部は蓋６’で覆われている。このとき、蓋６’は収納溝３’の開口部を完全に塞いで、床面９側に延びている。これにより、建造物の出入口１０の床面９と蓋６’の表面とは面一となって、完全なバリアフリーとなっている。このときには、止水板２’と、シール７のうちの、止水板２’側の第一シールとは蓋６’で覆われているから、外部からは見えない状態となっている。これにより、通常時における止水板２’の誤操作、シール７の劣化、塵埃の混入などを防止している。
【００５９】
非常時は、収納溝３’の蓋６’の把持部６１’に例えば図示しない専用ツールなどを挿入して、蓋６’を引っ掛けることにより、個々に左右支柱４と反対側にずらせて、収納溝３’の開口部を大きく開いた状態とする。
【００６０】
ついで、止水板２’の把持部２３’をもって引っ張り上げることにより、止水板２’を起立させた第二姿勢とするが、このときには、止水板２’は、左右支柱４から離間しており、それが前記ガイドで案内されて左右支柱４側に移動する。すると、止水板２’の姿勢は、水平な第一姿勢から、傾斜した中間姿勢を経て、垂直な第二姿勢へと連続的に変化していく。その基本操作は、止水板２’の前記ピンを前記ガイドの前記オーバル穴内で回転させるものであり、止水板２’を前記の前記ピンを前記ガイドの前記オーバル穴内で水平移動させる距離はわずかとなることから、止水板２’の軽量化と相俟って、労力が少なくて済む。
【００６１】
そして、第二姿勢となった止水板２’を、左右支柱４とその下部の収納溝３’の側壁とに、シール７を介在させた状態で押し付けて、ロック機構８でロックする。
【００６２】
しかる後、収納溝３’の蓋６’を再び閉める。このときには、収納溝３’の蓋６’の把持部６１’に前記専用ツールなどを挿入して、蓋６’を引っ掛けることにより、個々に左右支柱４側にずらせて、この左右支柱４に蓋６’の切り欠き部６２’が嵌め込まれる。すると、蓋６’の先端が、止水板２’の中間部に近接、或いは、接触して、その止水板２’が、誤って倒伏操作されることを防止できる。非常時から通常時に戻る際には、概ね上記と逆の手順がとられることとなる。ここで、本発明者は、止水板装置１’を試作して、その動作確認と防水性能試験とを実施し、これについても良好な結果を得ることができた。
【００６３】
以上説明したように、本実施形態２に係る止水板装置１’によれば、建造物の出入口１０に付設された左右支柱４の直ぐ外側に形成されて、出入口１０の床面９と略面一となる蓋６’付の開口部を有する収納溝３’を備え、止水板２’は、収納溝３’内に倒伏して格納された第一姿勢と、左右支柱４と反対側の把持部２３’で持ち上げられて、この左右支柱４側に引き寄せられることにより、ガイドに案内されて起立された第二姿勢とを有するので、止水板２’の保管場所の確保や運搬にかかる手間と時間とを不要とするとともに、通常の使用時はもちろんのこと、非常時においても段差がなくなり、足を取られて転倒することがなくなる。また、起伏式の止水板２’を収納する収納溝３’の厚みがきわめて薄いため、設置場所に制約がなく、また施工工事もきわめて簡略化できる。
【００６４】
さらに、止水板２’が第一姿勢と第二姿勢となったときには、蓋６’をそれぞれ閉じることにより、止水板２’の起伏操作を禁止する一方、止水板２’が第一姿勢と第二姿勢との間にあるときには、蓋６’を開けることにより、止水板２’の起伏操作を許容するので、すべて手動とすることによる誤操作を防止するとともに、従来の電動シリンダーなどで押し込む方式に比べて、各段と動作がシンプルとなるので、故障が少なく、いざとなる非常時にも素早く対応でき、メンテナンスも随分簡略化できる。
【００６５】
蓋６’は、収納溝３’の開口部の出入口１０と反対側にずらせて取り外し可能であるとともに、出入口１０側にずらせて取り付け可能であるので、より簡単な構成でもって、蓋体と床面との隙間を少なくして、より完全なバリアフリーが実現できる。
【００６６】
なお、上記実施形態１では、蓋６は収納溝３の開口部をほぼ覆うものとしているが、上記実施形態２のように、複数に分けて設けてもよい。ただし、止水性能を確保するために、止水板２，２’は一体としていることが好ましい。また、出入口１０が幅広の場合には、その左右支柱４と同様の中間支柱を追加して、本止水板装置１，１’を、複数並べて設けることとしてもよい。
【００６７】
また、上記実施形態１では、蓋６にフラッパ６ａを設けたが、これに代えて、あるいは、これとともに、床面９側において、フラッパ６ａとは反対側に折り畳み可能なフラッパを設けてもよい。或いは、上記実施形態２のように、マンホール蓋のように開口部からずらして開閉する蓋６’を設けてもよい。また、収納溝３，３’の開口部を蓋６，６’で覆う代わりに、収納溝３，３’の開口部を止水板２，２’で直接覆うような構成としてもよい。その場合は、蓋６，６’が不要となり、収納溝３，３’がさら薄くなるというメリットがある。
【００６８】
また、上記実施形態１，２では、止水板２，２’を例えばリブ材で補強した平板などの簡易な構造として軽量化しているが、止水板２，２’を例えばアルミニウム製とすることによっても軽量化することができるし、強度上の問題がなければ両者の組み合わせでさらなる軽量化を図ることもできる。蓋６，６’の構造や材料についても同様である。
【００６９】
また、上記実施形態１，２では、収納溝３，３’内に倒伏して格納された第一姿勢の止水板２，２’は、左右支柱４と反対側の把持部２３，２３’で持ち上げられて、この左右支柱４側に引き寄せられることにより、起立された第二姿勢となるとしたが、第一姿勢の止水板２，２’は、出入口１０と反対側が持ち上げられ、左右支柱４の下側の回転中心まわりに回転されることにより、起立されて第二姿勢となるようにしてもよい。その場合は、止水板２，２’の水平移動がなくなるため、移動の労力がさらに少なくて済み、容易かつ迅速に止水板を起伏させることができる。また、上記実施形態１の把持部２３は、上記実施形態２の把持部２３’のように、第一姿勢における止水板２の出入口１０と反対側の先端（第二姿勢における上端）に固設された逆Ｕ字状などの簡単なものであってもよい。
【００７０】
また、上記実施形態１では、左右支柱４側のシール７の第二シールと、ロック機構８とはいずれもカバー５で覆われており、上記実施形態２では、かかるカバー５を省略しているが、同様のカバー５を設けてもよい。
【００７１】
また、シール７は、場合によっては、左右支柱４側には設けず、止水板２，２’側だけに、より簡単な構成を適用することとしてもよいし、ロック機構８についても、より簡単な構成を、必要な個所にだけ適用することとしてもよい。
【符号の説明】
【００７２】
１，１’  止水板装置
２，２’  止水板
２ａ  当板
２２  ガイド
２３，２３’  把持部
３  収納溝
４  左右支柱
５  カバー
５ａ  ヒンジ
６，６’  蓋（蓋体に相当する。）
６ａ  フラッパ
６ｂ  回転軸
６１’  把持部
６２’  切り欠き部
７  シール
７１  第一シールの規制板
７２  第一シールのシール本体
７３  第二シールのシール本体
８  ロック機構
９  床面
１０  （建造物の）出入口
【先行技術文献】
【特許文献】
【００７３】
【特許文献１】特開２０１２−８７４６５号公報
【特許文献２】特開２００５−６０９３２号公報
【特許文献３】特開２００７−１９７９５３号公報
【図１】
2016135982.tif 000003
【図２】
2016135982.tif 000004
【図３】
2016135982.tif 000005
【図４】
2016135982.tif 000006
【図５】
2016135982.tif 000007
【図６】
2016135982.tif 000008
【図７】
2016135982.tif 000009
【図８】
2016135982.tif 000010
【図９】
2016135982.tif 000011